(57)【要約】【課題】    塵芥車に収容される際に、圧縮されたゴミ袋の破裂を予防する破裂防止カッターの装置を提供する。【解決手段】  錆びにくいステンレス製で、その内部に埋設されて刃先を外に突き出す複数のカッター刃群から成る横長略直方体で、正面壁斜降面から外へ刃先域を突き出しているのであり、刃先が外から押された際は、その押された刃体とその背板だけが、他の刃体とは独立して、背板後方のウレタン弾性材を押して後方へ引っ込む形になることを特徴とする塵芥車用ビニール圧縮破裂防止カッター。【選択図】図３
2019048368.tif 000002
【特許請求の範囲】
【請求項１】
塵芥車の回転盤の先端縁際沿いに平行に設置されて使用されるもので、錆にくいスレンレス製のホルダー部と、その内部に埋設されて刃先を突き出す複数のカッター刃即ちカッター刃群から成るのであるが、
塵芥車の後ろから回転盤に向かい合ってみた状態において、
ホルダー部は、
高さ約１５ミリ程の横長略直方体で、横長手幅が塵芥車の回転盤の横幅相当で、短手幅即ち前後の奥行きが約５０ミリの筐体であり、幅広の長手面の一方側が、回転盤に接地して固定的に取付けられる閉じられた取付け底面を成し、対向するもう一方の長手面が、閉じられた上面を成し、左右の短手側も共に閉じられた短手壁を成し、奥側の長手の閉じられた壁面即ち奥壁と、唯一ステンレス壁でない正面壁は、共に上面から取付け底面へ先細りに下降する斜降面を成して、其々奥壁斜降面及び正面壁斜降面を形成しているのであって、
筐体内部において、
前後の中間域に、長手辺に平行に、一定の小間隔をおいて、カッター刃の根元に統合された背板が一列に設置してあり、背板の後方空間は、奥壁面まで、もしくは奥壁面最後端近くまで、ウレタン弾性材で埋められ、背板相互間は小空隙間によって非連動的・独立的動きの余地が確保されており、背板から発して上面及び取付け底面に平行に、正面側即ち回転盤先端方向へ伸びたカッター刃群が、正面壁斜降面から外へ刃先域を突き出しているのであり、
ここにおけるカッター刃群の刃先域を除く刃胴部の上下左右の四方周囲は、ウレタン弾性材で埋められ、その弾性材の中を刃体が突き抜けた道筋の中を刃体が前後に動くように形成されて摺動ガイド部を成し、摺動ガイド部と背板とは接触しつつも固着結合してはおらず、刃先が外から押された際は、その押された刃体とその背板だけが、他の刃体とは独立して、背板後方のウレタン弾性材を押して後方へ引っ込む形になるのであって、
且つ、刃胴部周りを囲む弾性材も、刃先域が突き出た正面壁斜降面から後方へ約３０数ミリ程の領域は、防水性ウレタン弾性材を用いて形成されていることを特徴とする塵芥車用ビニール袋圧縮破裂防止カッター。
【発明の詳細な説明】
【技術分野】
【０００１】本発明は、塵芥車のゴミ収集作業時に、回転盤で奥へ奥へと圧縮送りされる途中、ゴミのビニール袋が破裂し、辺り一面にゴミが散乱し、作業員も不意の突発的な危険にさらされ、破裂音で付近住民をも不安にさせる様な状況を予防するための簡便な装置に関するものである。
【背景技術】
【０００２】従来、予め穴を備えた袋があった「（特許文献１参照）。」
塵芥車とは、ゴミ収集車、パッカー車であり、ゴミ袋は主としてビニール袋である。
【先行技術文献】
【特許文献】
【０００３】
【特許文献１】実用新案登録第３１７３２０７号  公報
【発明の概要】
【発明が解決しようとする課題】
【０００４】そのために次のような問題点があった。
（イ）穴あきの袋の使用が義務化されない限り問題点を解決できない。
（ロ）使用コストが常時かかる。
（ハ）水分を含むゴミには集積場を汚してしまう逆効果が生じる。
本発明は、これらの問題点を解決するためになされたものである。
【課題を解決するための手段】
【０００５】  塵芥車の収集作業時に、次々と投入されるゴミ袋を、投入口で掻き込んでは圧縮して奥へ奥へと詰め込んでいく回転盤の先端縁際沿いに平行に設置されて、圧縮されたビニール袋が破裂音と共に作業員の身の危険をも伴って、中身が辺り一面に飛び散って悲惨な状態に陥るという様な事態を事前に防止する為の装置であって、
錆びにくいステンレス製のホルダー部と、その内部に埋設されて刃先を外に突き出す複数のカッター刃即ちカッター刃群から成る。
塵芥車の後ろから回転盤に向かい合って見た状態において、
ホルダー部は、
高さ約１５ミリ程の横長略直方体で、横長手幅が塵芥車の回転盤の横幅相当で、短手幅即ち前後の奥行が約５０ミリの筐体であり、幅広の長手面の一方側が、回転盤に接地して固定的に取付けられる閉じられた取付け底面を成し、対向するもう一方の長手面が、閉じられた上面を成し、左右の短手側も共に閉じられた短手壁を成し、奥側の長手の閉じられた壁面即ち奥壁と、唯一ステンレス壁でない正面壁は、共に上面から取付け底面へ先細りに下降する斜降面を成して、其々奥壁斜降面及び正面壁斜降面を形成している。
筐体内部において、
前後の中間域に、長手辺に平行に、一定の小間隔をおいて、カッター刃の根元に統合された背板が一列に設置してあり、背板の後方空間は、奥壁斜降面まで、もしくは奥壁斜降面最後端近くまで、ウレタン弾性材で埋められ、背板相互間は小空隙間によって非連動的・独立的動きの余地が確保されており、背板から発して上面及び取付け底面に平行に、正面側即ち回転盤先端方向へ伸びたカッター刃群が、正面壁斜降面から外へ刃先域を突き出しているのであるが、
ここにおけるカッター刃群の刃先域を除く刃胴部の上下左右の四方周囲は、ウレタン弾性材で埋められ、その弾性材の中を刃体が突き抜けた道筋の中を刃体が前後に動くように形成されて摺動ガイド部を成し、摺動ガイド部と背板とは接触しつつも固着結合してはおらず、刃先が外から押された際は、その押された刃体とその背板だけが、他の刃体とは独立して、背板後方のウレタン弾性材を押して後方へ引っ込む形になるのであって、
且つ、刃胴部周りを囲む弾性材も、刃先域が突き出た正面壁斜降面から後方へ約３０数ミリ程の領域は、防水性ウレタン弾性材を用いて形成されている。
以上を特徴とする塵芥車用ビニール袋圧縮破裂防止カッターである。
【発明の効果】
【０００６】  塵芥車（ゴミ収集車、パッカー車）の収集作業時に、次々と投入されるゴミ袋（主としてビニール袋）を、投入口で掻き込んでは圧縮して奥へ奥へと詰め込まれる際、事前にゴミ袋が切り裂かれて破裂・破裂音の発生を防ぐと共に、破裂に伴う紙くずや水分を含んだ生ごみの散乱を防いで作業場所を汚したり、飛散したごみがゴミ回収作業員に降りかかる事態を予防する。
【図面の簡単な説明】
【０００７】
【図１】  本発明の斜視図
【図２】  本発明において図１切断線Ｓ−Ｓ′で切断した断面図
【図３】  本発明において図２切断線Ｕ−Ｕ′カッター刃で切断した断面図
【図４】  塵芥車において本発明の設置箇所を示した斜視図
【図５】  本発明において図２切断線Ｔ−Ｔ′で切断した摺動ガイド部断面図
【発明を実施するための形態】
【０００８】  以下、本発明の実施の形態を説明する。
錆びにくいステンレス製のホルダー部（３）と、その内部に埋設されて刃先を外に突き出す複数のカッター刃（４）即ちカッター刃群（５）から成る。
塵芥車（１）の後ろから回転盤（２）に向かい合って見た状態において、ホルダー部（３）は、高さ約１５ミリ程の横長略直方体で、横長手幅が塵芥車（１）の回転盤（２）の横幅相当で、短手幅即ち前後の奥行が約５０ミリの筐体であり、幅広のの長手面の一方側が、回転盤（２）に接地して固定的に取付けられる閉じられた取付け底面（６）を成し、対向するもう一方の長手面が、閉じられた上面（７）を成し、左右の短手側も共に閉じられた短手壁（８）を成し、奥側の長手の閉じられた壁面即ち奥壁と、唯一ステンレス壁でない正面壁奥壁斜降面（９）及び正面斜降面（１０）を形成している。
筐体内部において、前後の中間域に、長手辺に平行に、一定の小間隔をおいてカッター刃（４）の根元に結合された背板（１１）が一列に設置してあり、背板（１１）の後方空間は、奥壁斜降面（９）まで、もしくは奥壁斜降面（９）最後端近くまで、ウレタン弾性材（１２）で埋められ、背板（１１）相互間は小空隙間によって非連動的・独立的動きの余地が確保されており、背板（１１）から発して上面（７）及び取付け底面（６）に平行に、正面側即ち回転盤（２）先端方向へ伸びたカッター刃群（５）が、正面斜降面（１０）から外へ刃先域（１４）を突き出している。
ここにおけるカッター刃群（５）の刃先域（１４）を除く刃胴部（１５）の上下左右の四方周囲は、ウレタン弾性材（１２）の中を刃体が突き抜けた道筋の中を刃体が前後に動くように形成されて摺動ガイド部（１６）を成し、摺動ガイド部（１６）と背板（１１）とは接触しつつも固着結合してはおらず、刃先が外から押された際は、その押された刃体とその背板（１１）だけが、他の刃体とは独立して、背板（１１）後方のウレタン弾性材（１２）を押して後方へ引っ込む形になるのであって、且つ、刃胴部（１５）周りを囲む弾性材も、刃先域（１４）が突き出た正面斜降面（１０）から後方へ約３０数ミリ程の領域は、防水性ウレタン弾性材（１３）を用いて形成されている。
本発明は以上の様な構成であり、以下その具体的な使用方法を説明する。
塵芥車（１）がごみ集積場に止まって、ゴミ回収作業員が車の後ろに回って、中身の詰まったゴミ袋を次々と投入口に放り込むと、回転盤（２）が唸を挙げてそのゴミ袋を掻き込んでは奥へ奥へと押し込んで行く。その時口を閉じられたゴミ袋は圧縮されてパンパンと破裂音を伴って中の空気が吐き出されるが、時折大きな破裂音と共にコーヒー滓粉や汚水を伴った生ゴミ等が勢いよく飛び散り、辺り一面を汚し、ゴミ回収作業員の服や頭や顔にまであたることがあり、そのゴミの中に尖った物や角張った物が混じっていたりすると、きわめて危険なことにもなり、近くを通行する歩行者・自転車にもその被害が及ぶこともあり、ごみ集積場の散乱したゴミの清掃もゴミ回収作業員の負担となり、作業効率が鈍る事となる。
深夜の作業であれば、ゴミ袋の破裂音は、特に住宅街では近隣住民との深刻な騒音問題となる。
そこで、塵芥車（１）の回転盤（２）の先端縁沿いに本発明が取付けてあったならば、上記の様な作業風景は次のようになる。
投入口から投げ込まれたゴミ袋は、圧縮される事前にカッター刃（４）により切り裂かれ破裂を免れ、ゴミの辺り一面への飛び散り、ゴミ回収作業員、近くを通行する歩行者・自転車等への飛び散り被害を防ぎ、ゴミ回収作業員の散乱したゴミ清掃の負担が減り作業効率が上がる。
破裂音の減り近隣住民との騒音問題の減少にも繋がる。
【符号の説明】
【０００９】  １  塵芥車、  ２  回転盤、  ３  ホルダー部、  ４  カッター刃、
５  カッター刃群、  ６  取付け底面、  ７  上面、  ８  短手壁、
９  奥壁斜降面、  １０  正面斜降面、  １１  背板、
１２  ウレタン弾性材、  １３  防水性ウレタン弾性材、  １４  刃先域、
１５  刃胴部、  １６  摺動ガイド部
Ａ  塵芥車用ビニール袋圧縮破裂防止カッター
【図１】
2019048368.tif 000003
【図２】
2019048368.tif 000004
【図３】
2019048368.tif 000005
【図４】
2019048368.tif 000006
【図５】
2019048368.tif 000007